(57)【特許請求の範囲】
【請求項１】
希望信号の選局周波数を発振するための選局周波数発振手段と、前記選局周波数発振手段から出力された信号からベースバンド信号であるＩ，Ｑ信号を作り出す検波手段と、前記検波手段の第２中間周波数を発振させる第２中間周波数発振手段と、前記検波手段からの信号を入力して受信帯域の制限と符号間干渉を抑制するための波形整形フィルタ手段と、前記波形成形フィルタ手段からの信号からデジタル復調の同期を判定する同期判定手段と、前記第２中間周波数発振手段と前記希望信号の周波数との周波数誤差を遅延検波回路によって検出する遅延検波周波数誤差検出手段と、前記遅延検波周波数誤差検出手段で検出された周波数誤差を使って前記第２中間周波数発振手段を制御する制御信号を作り出すＡＦＣ手段と、前記検波手段と前記波形整形フィルタ手段と前記ＡＦＣ手段と前記第２中間周波数発振手段とからなるＡＦＣループが前記第２中間周波数発振手段の発振周波数と前記希望信号の周波数との周波数誤差がゼロでないポイントで安定しかつ同期判定手段で非同期と判定された場合に、前記遅延検波周波数誤差検出手段の遅延量を可変する２種類以上の遅延量をもった可変遅延量付き遅延検波周波数誤差検出手段を備えることを特徴とするデジタル復調システム。
【発明の詳細な説明】
【０００１】
【発明の属する技術分野】
本発明は、デジタル放送用セットトップボックスにおけるフロントエンド部のデジタル復調システムに関する。
【０００２】
【従来の技術】
図５に従来のデジタル復調システムの構造を示しており、デジタル変調信号を入力する入力手段１１と、デジタル変調信号を後段のデジタル復調システムに適した電力量に制御するＡＧＣアッテネート手段１２と、希望信号の選局周波数の信号以外を除去するための選局フィルタ手段１３と、希望信号の選局周波数を発振するための選局周波数発振手段１４と、デジタル変調信号を中間周波数信号にダウンコンバートするミキサ１５と、ダウンコンバートされたデジタル変調信号の波形整形をするＳＡＷフィルタ手段１７と、ベースバンド信号であるＩ，Ｑ信号を作り出す検波手段１８と、検波手段１８の第２中間周波数を発振させる第２中間周波数発振器１８１と、アナログ信号をデジタル信号に変換するＡＤ変換手段１９と、受信帯域の制限と符号間干渉を抑制するための波形整形フィルタ手段１１０と、Ｉ，Ｑ信号から搬送波を再生させる搬送波再生手段１１１と、デジタル復調の同期を判定する同期判定手段１２５と、Ｉ，Ｑ信号からクロックを再生させるクロック再生手段１１２と、  ＡＧＣアッテネート手段１２に送る情報を作り出しシステム全体のゲインを調整するＡＧＣ手段１１３と、第２中間周波数発振器１８１と選局周波数によってダウンコンバートされた希望信号の周波数との周波数誤差を検出する遅延検波周波数誤差検出手段１１４１と、遅延検波周波数誤差検出手段１１４１で検出された周波数誤差を使って第２中間周波数発振器１８１の制御信号を作り出すＡＦＣ手段１１４と、デジタル信号をアナログ信号に変換するＤＡ変換手段１１５、１１６、１１７と、デジタル復調システム全体を制御するデジタル復調システム制御手段１２０によって構成されている。
【０００３】
以上のように構成されたデジタル復調システムについて、図５を用いてその動作を説明する。
【０００４】
図５において、入力手段１１から、デジタル変調信号が入力される。入力されたデジタル変調信号は、ＡＧＣアッテネート手段１２によって、後段のデジタル復調システムに適した電力量に制御され、選局フィルタ手段１３によって、希望信号の選局周波数の信号以外の信号を除去する。ミキサ１５には、選局フィルタ手段１３からの信号と、選局周波数発振手段１４からの信号が入力され、希望信号は中間周波数信号にダウンコンバートされる。そのダウンコンバートされた希望信号は、ＳＡＷフィルタ手段１７によって波形整形され、検波手段１８に入力され、第２中間周波数発振器１８１によって、ベースバンド信号であるＩ，Ｑ信号が作り出される。それらのＩ，Ｑ信号は、ＡＤ変換手段１９により、アナログ信号からデジタル信号に変換され、波形整形フィルタ手段１１０により、受信帯域の制限と符号間干渉を抑制される。
【０００５】
波形整形フィルタ手段１１０の出力のＩ，Ｑ信号はそれぞれ搬送波再生手段１１１、クロック再生手段１１２、ＡＧＣ手段１１３、周波数誤差検出手段１１４１に入力される。搬送波再生手段１１２では、Ｉ，Ｑ信号から搬送波を再生し、デジタル復調の同期を判定する同期判定手段１２５に入力され、デジタル復調システムの同期を判定する。そして、後段の誤り訂正部へと信号は入力されていく。また、クロック再生手段１１２では、Ｉ，Ｑ信号を使って、システムの動作周波数を発振する発振器の制御値を算出し、ＤＡ変換手段１１５を介して、システムの動作周波数を発振する発振手段へ出力される。また、ＡＧＣ手段１１３では、ＤＡ変換手段１１６を介して、前段のＡＧＣアッテネート手段１２とループが組まれ、システム全体のゲイン調整を行なっている。
【０００６】
そして、遅延検波周波数誤差検出手段１１４１では、Ｉ，Ｑ信号を使って、遅延検波により第２中間周波数発振器の発振周波数と選局周波数によってダウンコンバートされた希望信号の周波数との周波数誤差を検出し、その周波数誤差情報をＡＦＣ手段１１４に入力し、ＡＦＣ手段１１４では、周波数誤差の情報を平均化し、ＤＡ変換手段１１７を介して、第２中間周波数発振器１８１との間で第２中間周波数発振器１８１の発振周波数と選局周波数によってダウンコンバートされた希望信号の周波数との周波数誤差がゼロになるようにＡＦＣループが組まれている。同期判定手段１２５では、デジタル復調システムの同期判定を行なっており、これらのデジタル復調システム全体の動作は、デジタル復調システム制御手段１２０によって制御されている。
【０００７】
【発明が解決しようとする課題】
このように、遅延検波周波数誤差検出手段によって第２中間周波数発振器の発振周波数と選局周波数によってダウンコンバートされた希望信号の周波数との周波数誤差を検出し、その誤差を補正するという形式のＡＦＣ手段をもつデジタル復調システムでは、遅延検波周波数誤差検出手段の遅延量と一致する遅延量をもつ反射波、あるいは、一致しなくても遅延検波周波数誤差検出手段の遅延量に影響を与える遅延量をもつ反射波が入力信号に重畳された場合、周波数誤差を検出するときに、固定的な情報が加算され、第２中間周波数発振器の発振周波数と選局周波数によってダウンコンバートされた希望信号の周波数との周波数誤差がゼロでないポイントでＡＦＣループが安定してしまうという問題があった。
【０００８】
【課題を解決するための手段】
前記課題を解決するために、本発明のデジタル復調システムは、入力信号が伝送路によって歪み、第２中間周波数発振器の発振周波数と選局周波数によってダウンコンバートされた希望信号の周波数との周波数誤差がゼロでないポイントでＡＦＣループが安定した場合に、ＡＦＣ手段から出力されるＡＦＣ制御値を、一定量を順次加算あるいは減算することで強制的に変動させ、同期と判定するまで当該動作を繰返すことを特徴としたものである。
【０００９】
本発明によれば、遅延検波回路によって第２中間周波数発振器の発振周波数と選局周波数によってダウンコンバートされた希望信号の周波数との周波数誤差を検出し、その周波数誤差を補正するという形式のＡＦＣループをもつデジタル復調システムにおいて、入力信号が伝送路によって歪み、遅延検波周波数誤差検出手段の遅延量と一致する遅延量をもつ反射波、あるい
は、一致しなくても遅延検波周波数誤差検出手段の遅延量に影響を与える遅延量をもつ反射波が入力信号に重畳されたことにより第２中間周波数発振器の発振周波数と選局周波数によってダウンコンバートされた希望信号の周波数との周波数誤差がゼロでないポイントでＡＦＣループが安定してしまった場合、第２中間周波数発振器の発振周波数と選局周波数によってダウンコンバートされた希望信号の周波数との周波数誤差がゼロのポイントでＡＦＣループを安定にすることを可能とするデジタル復調システムを提供できる。
【００１０】
【発明の実施の形態】
本発明の第１の発明は、遅延検波回路によって第２中間周波数発振器の発振周波数と選局周波数によってダウンコンバートされた希望信号の周波数との周波数誤差を検出し、ＡＦＣ手段によって周波数誤差を平均化し、その周波数誤差を補正するという形式のＡＦＣループをもつデジタル復調システムにおいて、第２中間周波数発振器の発振周波数と選局周波数によってダウンコンバートされた希望信号周波数との周波数誤差がゼロでないポイントでＡＦＣループが安定した場合に、ＡＦＣ手段から出力されるＡＦＣ制御値を強制的に変動させることを特徴とするデジタル復調システムに関するものである。本構成により第２中間周波数発振器の発振周波数と選局周波数によってダウンコンバートされた希望信号の周波数との周波数誤差がゼロのポイントでＡＦＣループが安定するという作用を有する。
【００１１】
本発明の第２の発明は、希望信号の選局周波数を発振するための選局周波数発振手段と、前記選局周波数発振手段から出力された信号からベースバンド信号であるＩ，Ｑ信号を作り出す検波手段と、前記検波手段の第２中間周波数を発振させる第２中間周波数発振手段と、前記検波手段からの信号を入力して受信帯域の制限と符号間干渉を抑制するための波形整形フィルタ手段と、前記波形成形フィルタ手段からの信号からデジタル復調の同期を判定する同期判定手段と、前記第２中間周波数発振手段と前記希望信号の周波数との周波数誤差を遅延検波回路によって検出する遅延検波周波数誤差検出手段と、前記遅延検波周波数誤差検出手段で検出された周波数誤差を使って前記第２中間周波数発振手段を制御する制御信号を作り出すＡＦＣ手段と、前記検波手段と前記波形整形フィルタ手段と前記ＡＦＣ手段と前記第２中間周波数発振手段とからなるＡＦＣループが前記第２中間周波数発振手段の発振周波数と前記希望信号の周波数との周波数誤差がゼロでないポイントで安定しかつ前記同期判定手段で非同期と判定された場合に、前記ＡＦＣ手段から出力される前記制御手段を強制的に変動させるＡＦＣ制御値変動手段とを備えることを特徴とするデジタル復調システムに関するものである。
【００１２】
本構成により、第２中間周波数発振器の発振周波数と選局周波数によってダウンコンバートされた希望信号の周波数との周波数誤差がゼロでないポイントでＡＦＣループが安定してしまった場合に、ＡＦＣループにおけるＡＦＣ制御値を強制的に変動させることにより、第２中間周波数発振器の発振周波数と選局周波数によってダウンコンバートされた希望信号の周波数との周波数誤差がゼロのポイントでＡＦＣループが安定するという作用を有する。
【００１３】
本発明の第３の発明は、希望信号の選局周波数を発振するための選局周波数発振手段と、前記選局周波数発振手段から出力された信号からベースバンド信号であるＩ，Ｑ信号を作り出す検波手段と、前記検波手段の第２中間周波数を発振させる第２中間周波数発振手段と、前記検波手段からの信号を入力して受信帯域の制限と符号間干渉を抑制するための波形整形フィルタ手段と、前記波形成形フィルタ手段からの信号からデジタル復調の同期を判定する同期判定手段と、前記第２中間周波数発振手段と前記希望信号の周波数との周波数誤差を遅延検波回路によって検出する遅延検波周波数誤差検出手段と、前記遅延検波周波数誤差検出手段で検出された周波数誤差を使って前記第２中間周波数発振手段を制御する制御信号を作り出すＡＦＣ手段と、前記検波手段と前記波形整形フィルタ手段と前記ＡＦＣ手段と前記第２中間周波数発振手段とからなるＡＦＣループが前記第２中間周波数発振手段の発振周波数と前記希望信号の周波数との周波数誤差がゼロでないポイントで安定しかつ同期判定手段で非同期と判定された場合に、前記第２中間周波数発振手段の制御電圧を強制的に変動させるＡＦＣ電圧制御手段を備えることを特徴とするデジタル復調システムである。
【００１４】
本構成により、ＡＦＣループが第２中間周波数発振器の発振周波数と選局周波数によってダウンコンバートされた希望信号の周波数との周波数誤差がゼロでないポイントで安定してしまった場合に、第２中間周波数発振器の制御電圧を強制的に変動させることにより、第２中間周波数発振器の発振周波数と選局周波数によってダウンコンバートされた希望信号の周波数との周波数誤差がゼロのポイントでＡＦＣループが安定するという作用を有する。
【００１５】
本発明の第４の発明は、希望信号の選局周波数を発振するための選局周波数発振手段と、前記選局周波数発振手段から出力された信号からベースバンド信号であるＩ，Ｑ信号を作り出す検波手段と、前記検波手段の第２中間周波数を発振させる第２中間周波数発振手段と、前記検波手段からの信号を入力して受信帯域の制限と符号間干渉を抑制するための波形整形フィルタ手段と、前記波形成形フィルタ手段からの信号からデジタル復調の同期を判定する同期判定手段と、前記第２中間周波数発振手段と前記希望信号の周波数との周波数誤差を遅延検波回路によって検出する遅延検波周波数誤差検出手段と、前記遅延検波周波数誤差検出手段で検出された周波数誤差を使って前記第２中間周波数発振手段を制御する制御信号を作り出すＡＦＣ手段と、前記検波手段と前記波形整形フィルタ手段と前記ＡＦＣ手段と前記第２中間周波数発振手段とからなるＡＦＣループが前記第２中間周波数発振手段の発振周波数と前記希望信号の周波数との周波数誤差がゼロでないポイントで安定しかつ同期判定手段で非同期と判定された場合に、前記選局周波数発振手段によって発振する周波数を強制的に変動させる選局周波数変動手段を備えることを特徴とするデジタル復調システムに関するものである。
【００１６】
本構成により、第２中間周波数発振器の発振周波数と選局周波数によってダウンコンバートされた希望信号の周波数との周波数誤差がゼロでないポイントでＡＦＣループが安定してしまった場合に、選局周波数の周波数を強制的に変動させることにより、中間周波数信号を周波数的に変動させ、それによりＡＦＣループにおけるＡＦＣ制御値を強制的に変動させることにより、第２中間周波数発振器の発振周波数と選局周波数によってダウンコンバートされた希望信号の周波数との周波数誤差がゼロのポイントでＡＦＣループが安定するという作用を有する。
【００１７】
本発明の第５の発明は、希望信号の選局周波数を発振するための選局周波数発振手段と、前記選局周波数発振手段から出力された信号からベースバンド信号であるＩ，Ｑ信号を作り出す検波手段と、前記検波手段の第２中間周波数を発振させる第２中間周波数発振手段と、前記検波手段からの信号を入力して受信帯域の制限と符号間干渉を抑制するための波形整形フィルタ手段と、前記波形成形フィルタ手段からの信号からデジタル復調の同期を判定する同期判定手段と、前記第２中間周波数発振手段と前記希望信号の周波数との周波数誤差を遅延検波回路によって検出する遅延検波周波数誤差検出手段と、前記遅延検波周波数誤差検出手段で検出された周波数誤差を使って前記第２中間周波数発振手段を制御する制御信号を作り出すＡＦＣ手段と、前記検波手段と前記波形整形フィルタ手段と前記ＡＦＣ手段と前記第２中間周波数発振手段とからなるＡＦＣループが前記第２中間周波数発振手段の発振周波数と前記希望信号の周波数との周波数誤差がゼロでないポイントで安定しかつ同期判定手段で非同期と判定された場合に、前記遅延検波周波数誤差検出手段の遅延量を可変する２種類以上の遅延量をもった可変遅延量付き遅延検波周波数誤差検出手段を備えることを特徴とするデジタル復調システムに関するものである。
【００１８】
本構成により、遅延検波周波数誤差検出手段の遅延量を反射波の遅延量に影響のない遅延量に設定することにより、  第２中間周波数発振器の発振周波数と選局周波数によってダウンコンバートされた希望信号の周波数との周波数誤差がゼロのポイントでＡＦＣループが安定するという作用を有する。
【００１９】
以下、本発明の実施の形態について、図１から図４を用いて説明する。
（実施の形態１）
図１に本発明の第２の実施例を示すデジタル復調システムの構造を示しており、デジタル変調信号を入力する入力手段１１と、デジタル変調信号を後段のデジタル復調システムに適した電力量に制御するＡＧＣアッテネート手段１２と、希望信号の選局周波数の信号以外を除去するための選局フィルタ手段１３と、希望信号の選局周波数を発振するための選局周波数発振手段１４と、デジタル変調信号を中間周波数信号にダウンコンバートするミキサ１５と、ダウンコンバートされたデジタル変調信号の波形整形をするＳＡＷフィルタ手段１７と、ベースバンド信号であるＩ，Ｑ信号を作り出す検波手段１８と、検波手段１８の第２中間周波数を発振させる第２中間周波数発振器１８１と、アナログ信号をデジタル信号に変換するＡＤ変換手段１９と、受信帯域の制限と符号間干渉を抑制するための波形整形フィルタ手段１１０と、Ｉ，Ｑ信号から搬送波を再生させる搬送波再生手段１１１と、デジタル復調の同期を判定する同期判定手段１２５と、Ｉ，Ｑ信号からクロックを再生させるクロック再生手段１１２と、  ＡＧＣアッテネート手段１２に送る情報を作り出しシステム全体のゲイン調整を行なうＡＧＣ手段１１３と、第２中間周波数発振器１８１の発振周波数と選局周波数によってダウンコンバートされた希望信号の周波数との周波数誤差を検出する遅延検波周波数誤差検出手段１１４１と、遅延検波周波数誤差検出手段１１４１で検出された周波数誤差を使って第２中間周波数発振器１８１の制御信号を作り出すＡＦＣ手段１１４と、  ＡＦＣ制御値を強制的に変動させるＡＦＣ制御値変動手段１３０、デジタル信号をアナログ信号に変換するＤＡ変換手段１１５、１１６、１７と、デジタル復調システム全体を制御するデジタル復調システム制御手段１２０によって構成されている。
【００２０】
また、検波手段１８、波形整形フィルタ手段１１０、遅延検波周波数誤差検出手段１１４１、ＡＦＣ手段１１４、ＡＦＣ制御値変動手段１３０、第２中間周波数発振器１８１でＡＦＣループが形成されている。
【００２１】
以上のように構成されたデジタル復調システムについて、図１を用いてその動作を説明する。
【００２２】
図１において、入力手段１１から、デジタル変調信号が入力される。入力されたデジタル変調信号は、ＡＧＣアッテネート手段１２によって、後段のデジタル復調システムに適した電力量に制御され、選局フィルタ手段１３によって、希望信号の選局周波数の信号以外の信号を除去する。ミキサ１５には、選局フィルタ手段１３からの信号と、選局周波数発振手段１４からの信号が入力され、希望信号は中間周波数信号にダウンコンバートされる。そのダウンコンバートされた希望信号は、ＳＡＷフィルタ手段１７によって波形整形され、検波手段１８に入力され、第２中間周波数発振器１８１によって、ベースバンド信号であるＩ，Ｑ信号が作り出される。それらのＩ，Ｑ信号は、ＡＤ変換手段１９により、アナログ信号からデジタル信号に変換され、波形整形フィルタ手段１１０により、受信帯域の制限と符号間干渉を抑制される。
【００２３】
波形整形フィルタ手段１１０の出力のＩ，Ｑ信号はそれぞれ搬送波再生手段１１１、クロック再生手段１１２、ＡＧＣ手段１１３、周波数誤差検出手段１１４１に入力される。搬送波再生手段１１２では、Ｉ，Ｑ信号から搬送波を再生し、デジタル復調の同期を判定する同期判定手段１２５に入力され、デジタル復調システムの同期を判定する。そして、後段の誤り訂正部へと信号は入力されていく。
【００２４】
また、クロック再生手段１１２では、Ｉ，Ｑ信号を使って、システムの動作周波数を発振する発振器の制御値を算出し、ＤＡ変換手段１１５を介して、システムの動作周波数を発振する発振手段へ出力される。また、ＡＧＣ手段１１３では、ＤＡ変換手段１１６を介して、前段のＡＧＣアッテネート手段１２とループが組まれ、システム全体のゲイン調整を行なっている。そして、遅延検波周波数誤差検出手段１１４１では、Ｉ，Ｑ信号を使って、遅延検波により第２中間周波数発振器の発振周波数と選局周波数によってダウンコンバートされた希望信号の周波数との周波数誤差を検出し、その周波数誤差情報をＡＦＣ手段１１４に入力し、ＡＦＣ手段１１４では、周波数誤差の情報を平均化し、  ＡＦＣ制御値変動手段１３０、ＤＡ変換手段１１７を介して、第２中間周波数発振器１８１との間でループが組まれている。
【００２５】
ＡＦＣ制御値変動手段１３０では、入力信号が伝送路によって歪み、ＡＦＣループが第２中間周波数発振器の発振周波数と選局周波数によってダウンコンバートされた希望信号の周波数との周波数誤差がゼロでないポイントで安定し、同期判定手段１２５で非同期と判定された場合、同期判定手段１２５からＡＦＣ制御値変動手段１３０へ非同期状態であるという信号が出力され、ＡＦＣ手段１１４からのＡＦＣ制御値に一定量を順次加減算していき、ＡＦＣ制御値を強制的に変動させる。同期判定手段１２５が同期と判定するまで、この動作を繰返すことにより、第２中間周波数発振器の発振周波数と選局周波数によってダウンコンバートされた希望信号の周波数との周波数誤差がゼロのポイントでＡＦＣループを安定させ、デジタル復調システムを同期に引き込む。
【００２６】
これらのデジタル復調システム全体の動作は、デジタル復調システム制御手段１２０によって制御されている。
【００２７】
このように構成されたデジタル復調システムにおいて、ＡＦＣループが第２中間周波数発振器の発振周波数と選局周波数によってダウンコンバートされた希望信号の周波数との周波数誤差がゼロでないポイントでＡＦＣループが安定し、同期判定手段で非同期と判定された場合、デジタル的にＡＦＣ制御値を減加算することによってＡＦＣループを変動させ，デジタル復調システムを同期に引き込むという作用効果を有する。
【００２８】
（実施の形態２）
図２に本発明の第２の実施例を示すデジタル復調システムの構造を示しており、デジタル変調信号を入力する入力手段１１と、デジタル変調信号を後段のデジタル復調システムに適した電力量に制御するＡＧＣアッテネート手段１２と、希望信号の選局周波数の信号以外を除去するための選局フィルタ手段１３と、希望信号の選局周波数を発振するための選局周波数発振手段１４と、デジタル変調信号を中間周波数信号にダウンコンバートするミキサ１５と、ダウンコンバートされたデジタル変調信号の波形整形をするＳＡＷフィルタ手段１７と、ベースバンド信号であるＩ，Ｑ信号を作り出す検波手段１８と、検波手段１８の第２中間周波数を発振させる第２中間周波数発振器１８１と、アナログ信号をデジタル信号に変換するＡＤ変換手段１９と、受信帯域の制限と符号間干渉を抑制するための波形整形フィルタ手段１１０と、Ｉ，Ｑ信号から搬送波を再生させる搬送波再生手段１１１と、デジタル復調の同期を判定する同期判定手段１２５と、Ｉ，Ｑ信号からクロックを再生させるクロック再生手段１１２と、  ＡＧＣアッテネート手段１２に送る情報を作り出しシステム全体のゲインを調整するＡＧＣ手段１１３と、第２中間周波数発振器１８１の発振周波数と選局周波数によってダウンコンバートされた希望信号の周波数との周波数誤差を検出する遅延検波周波数誤差検出手段１１４１と、遅延検波周波数誤差検出手段１１４１で検出された周波数誤差を使って第２中間周波数発振器１８１の制御信号を作り出すＡＦＣ手段１１４と、デジタル信号をアナログ信号に変換するＤＡ変換手段１１５、１１６、１１７と、デジタル復調システム全体を制御するデジタル復調システム制御手段１２０によって構成されている。図１の構成と異なるのは、検波手段１８への入力電圧をＡＦＣ電圧値変動手段１４０によって強制的に変動させることによって、ＡＦＣループを強制的に変動させる点である。
【００２９】
また、検波手段１８、波形整形フィルタ手段１１０、遅延検波周波数誤差検出手段１１４１、ＡＦＣ手段１１４、ＡＦＣ電圧値変動手段１４０、第２中間周波数発振器１８１でＡＦＣループが形成されている。
【００３０】
以上のように構成されたデジタル復調システムについて、図２において、入力手段１１から、デジタル変調信号が入力される。入力されたデジタル変調信号は、ＡＧＣアッテネート手段１２によって、後段のデジタル復調システムに適した電力量に制御され、選局フィルタ手段１３によって、希望信号の選局周波数の信号以外の信号を除去する。ミキサ１５には、選局フィルタ手段１３からの信号と、選局周波数発振手段１４からの信号が入力され、希望信号は中間周波数信号にダウンコンバートされる。そのダウンコンバートされた希望信号は、ＳＡＷフィルタ手段１７によって波形整形され、検波手段１８に入力され、第２中間周波数発振器１８１によって、ベースバンド信号であるＩ，Ｑ信号に分割される。
【００３１】
それらのＩ，Ｑ信号は、ＡＤ変換手段１９により、アナログ信号からデジタル信号に変換され、波形整形フィルタ手段１１０により、受信帯域の制限と符号間干渉を抑制される。波形整形フィルタ手段１１０の出力のＩ，Ｑ信号はそれぞれ搬送波再生手段１１１、クロック再生手段１１２、ＡＧＣ手段１１３、周波数誤差検出手段１１４１に入力される。
【００３２】
搬送波再生手段１１２では、Ｉ，Ｑ信号から搬送波を再生し、デジタル復調の同期を判定する同期判定手段１２５に入力され、デジタル復調システムの同期を判定する。そして、後段の誤り訂正部へと信号は入力されていく。また、クロック再生手段１１２では、Ｉ，Ｑ信号を使って、システムの動作周波数を発振する発振器の制御値を算出し、ＤＡ変換手段１１５を介して、システムの動作周波数を発振する発振手段へ出力される。また、ＡＧＣ手段１１３では、ＤＡ変換手段１１６を介して、前段のＡＧＣアッテネート手段１２とループが組まれ、システム全体のゲイン調整を行なっている。
【００３３】
そして、遅延検波周波数誤差検出手段１１４１では、Ｉ，Ｑ信号を使って、遅延検波により第２中間周波数発振器の発振周波数と選局周波数によってダウンコンバートされた希望信号の周波数との周波数誤差を検出し、その周波数誤差情報をＡＦＣ手段１１４に入力し、ＡＦＣ手段１１４では、周波数誤差の情報を平均化し、ＤＡ変換手段１１７、ＡＦＣ電圧値変動手段１４０を介して、第２中間周波数発振器１８１との間でループが組まれている。
【００３４】
ＡＦＣ電圧変動値手段１４０では、入力信号が伝送路によって歪み、第２中間周波数発振器の発振周波数と選局周波数によってダウンコンバートされた希望信号の周波数との周波数誤差がゼロでないポイントでＡＦＣループが安定し、同期判定手段１２５で非同期と判定された場合、同期判定手段１２５からＡＦＣ制御値変動手段１４０へ非同期状態であるという信号が出力され、ＡＦＣ手段１１４から、ＤＡ変換手段１１７によって出力された電圧値に対して、  ＡＦＣ電圧値変動手段１４０によってその電圧値を順次強制的に変動させることによって、第２中間周波数発振器１８１の制御電圧を強制的に変動させる。
【００３５】
同期判定手段１２５が同期と判定するまで、この動作を繰返すことにより、第２中間周波数発振器の発振周波数と選局周波数によってダウンコンバートされた希望信号の周波数との周波数誤差がゼロのポイントでＡＦＣループを安定させ、デジタル復調システムを同期に引き込む。これらのデジタル復調システム全体の動作は、デジタル復調システム制御手段１２０によって制御されている。
【００３６】
このように構成されたデジタル復調システムにおいて、ＡＦＣループが第２中間周波数発振器の発振周波数と選局周波数によってダウンコンバートされた希望信号の周波数との周波数誤差がゼロでないポイントでＡＦＣループが安定し、同期判定手段で非同期と判定された場合、アナログ的に第２中間周波数発信器１８１の制御電圧を変化させ、ＡＦＣループを変動することによってデジタル復調システムを同期に引き込むという作用効果を有する。
【００３７】
（実施の形態３）
図３に本発明の第３の実施例を示すデジタル復調システムの構造を示しており、デジタル変調信号を入力する入力手段１１と、デジタル変調信号を後段のデジタル復調システムに適した電力量に制御するＡＧＣアッテネート手段１２と、希望信号の選局周波数の信号以外を除去するための選局フィルタ手段１３と、希望信号の選局周波数を発振するための選局周波数発振手段１４と、デジタル変調信号を中間周波数信号にダウンコンバートするミキサ１５と、ダウンコンバートされたデジタル変調信号の波形整形をするＳＡＷフィルタ手段１７と、ベースバンド信号であるＩ，Ｑ信号を作り出す検波手段１８と、検波手段１８の第２中間周波数を発振させる第２中間周波数発振器１８１と、アナログ信号をデジタル信号に変換するＡＤ変換手段１９と、受信帯域の制限と符号間干渉を抑制するための波形整形フィルタ手段１１０と、Ｉ，Ｑ信号から搬送波を再生させる搬送波再生手段１１１と、デジタル復調の同期を判定する同期判定手段１２５と、Ｉ，Ｑ信号からクロックを再生させるクロック再生手段１１２と、ＡＧＣアッテネート手段１２に送る情報を作り出しシステム全体のゲインを調整するＡＧＣ手段１１３と、第２中間周波数発振器１８１の発振周波数と選局周波数によってダウンコンバートされた希望信号の周波数との周波数誤差を検出する遅延検波周波数誤差検出手段１１４１と、遅延検波周波数誤差検出手段１１４１で検出された周波数誤差を使って第２中間周波数発振器１８１の制御信号を作り出すＡＦＣ手段１１４と、デジタル信号をアナログ信号に変換するＤＡ変換手段１１５、１１６、１１７と、デジタル復調システム全体を制御するデジタル復調システム制御手段１２０によって構成されている。図１の構成と異なるのは、選局周波数変動手段１５０によって、選局周波数発振手段１４によって発振する周波数を強制的に変動させ、検波器１８への中間周波数信号を周波数的に変動させることにより、ＡＦＣループを変動させる点である。
【００３８】
また、検波手段１８、波形整形フィルタ手段１１０、遅延検波周波数誤差検出手段１１４１、ＡＦＣ手段１１４、第２中間周波数発振器１８１でＡＦＣループが形成されている。
【００３９】
以上のように構成されたデジタル復調システムについて、図３において、入力手段１１から、デジタル変調信号が入力される。入力されたデジタル変調信号は、ＡＧＣアッテネート手段１２によって、後段のデジタル復調システムに適した電力量に制御され、選局フィルタ手段１３によって、希望信号の選局周波数の信号以外の信号を除去する。
【００４０】
ミキサ１５には、選局フィルタ手段１３からの信号と、選局周波数発振手段１４からの信号が入力され、希望信号は中間周波数信号にダウンコンバートされる。そのダウンコンバートされた希望信号は、ＳＡＷフィルタ手段１７によって波形整形され、検波手段１８に入力され、第２中間周波数発振器１８１によって、ベースバンド信号であるＩ，Ｑ信号が作り出される。  それらのＩ，Ｑ信号は、ＡＤ変換手段１９により、アナログ信号からデジタル信号に変換され、波形整形フィルタ手段１１０により、受信帯域の制限と符号間干渉を抑制される。波形整形フィルタ手段１１０の出力のＩ，Ｑ信号はそれぞれ搬送波再生手段１１１、クロック再生手段１１２、ＡＧＣ手段１１３、周波数誤差検出手段１１４１に入力される。搬送波再生手段１１２では、Ｉ，Ｑ信号から搬送波を再生し、デジタル復調の同期を判定する同期判定手段１２５に入力され、デジタル復調システムの同期を判定する。そして、後段の誤り訂正部へと信号は入力されていく。
【００４１】
また、クロック再生手段１１２では、Ｉ，Ｑ信号を使って、システムの動作周波数を発振する発振器の制御値を算出し、ＤＡ変換手段１１５を介して、システムの動作周波数を発振する発振手段へ出力される。また、ＡＧＣ手段１１３では、ＤＡ変換手段１１６を介して、前段のＡＧＣアッテネート手段１２とループが組まれ、システム全体のゲイン調整を行なっている。
【００４２】
そして、遅延検波周波数誤差検出手段１１４１では、Ｉ，Ｑ信号を使って、遅延検波により第２中間周波数発振器の発振周波数と選局周波数によってダウンコンバートされた希望信号の周波数との周波数誤差を検出し、その周波数誤差情報をＡＦＣ手段１１４に入力し、ＡＦＣ手段１１４では、周波数誤差の情報を平均化し、ＤＡ変換手段１１７を介して、第２中間周波数発振器１８１との間でループが組まれている。  入力信号が伝送路によって歪み、第２中間周波数発振器の発振周波数と選局周波数によってダウンコンバートされた希望信号の周波数との周波数誤差がゼロでないポイントでＡＦＣループが安定し、同期判定手段１２５で非同期と判定された場合、同期判定手段１２５からＡＦＣ選局周波数変動手段１５０へ非同期状態であるという信号が出力され、選局周波数変動手段１５０によって、選局周波数発振手段１４によって発振する周波数を強制的に変動させ、検波器１８への中間周波数信号を周波数的に変動させる。
【００４３】
同期判定手段１２５が同期と判定するまで、この動作を繰返すことにより、第２中間周波数発振器の発振周波数と選局周波数によってダウンコンバートされた希望信号の周波数との周波数誤差がゼロのポイントでＡＦＣループを安定させ、デジタル復調システムを同期に引き込む。これらのデジタル復調システム全体の動作は、デジタル復調システム制御手段１２０によって制御されている。
【００４４】
このように構成されたデジタル復調システムにおいて、ＡＦＣループが第２中間周波数発振器の発振周波数と選局周波数によってダウンコンバートされた希望信号の周波数との周波数誤差がゼロでないポイントでＡＦＣループが安定し、同期判定手段で非同期と判定された場合、ダウンコンバートされた信号の周波数を変化させ、それに伴いＡＦＣループを変動させることによってデジタル復調システムを同期に引き込むという作用効果を有する。
【００４５】
（実施の形態４）
図４に本発明の第４の実施例を示すデジタル復調システムの構造を示しており、デジタル変調信号を入力する入力手段１１と、デジタル変調信号を後段のデジタル復調システムに適した電力量に制御するＡＧＣアッテネート手段１２と、希望信号の選局周波数の信号以外を除去するための選局フィルタ手段１３と、希望信号の選局周波数を発振するための選局周波数発振手段１４と、デジタル変調信号を中間周波数信号にダウンコンバートするミキサ１５と、ダウンコンバートされたデジタル変調信号の波形整形をするＳＡＷフィルタ手段１７と、ベースバンド信号であるＩ，Ｑ信号に分割する検波手段１８と、検波手段１８の第２中間周波数を発振させる第２中間周波数発振器１８１と、アナログ信号をデジタル信号に変換するＡＤ変換手段１９と、受信帯域の制限と符号間干渉を抑制するための波形整形フィルタ手段１１０と、Ｉ，Ｑ信号から搬送波を再生させる搬送波再生手段１１１と、デジタル復調の同期を判定する同期判定手段１２５と、Ｉ，Ｑ信号からクロックを再生させるクロック再生手段１１２と、ＡＧＣアッテネート手段１２に送る情報を作り出すＡＧＣ手段１１３と、第２中間周波数発振器１８１の発振周波数と選局周波数によってダウンコンバートされた希望信号の周波数との周波数誤差を検出する遅延検波周波数誤差検出手段１１４２と、遅延検波周波数誤差検出手段１１４２で検出された周波数誤差を使って第２中間周波数発振器１８１の制御信号を作り出すＡＦＣ手段１１４と、デジタル信号をアナログ信号に変換するＤＡ変換手段１１５、１１６、１１７と、デジタル復調システム全体を制御するデジタル復調システム制御手段１２０によって構成されている。
【００４６】
また、検波手段１８、波形整形フィルタ手段１１０、遅延検波周波数誤差検出手段１１４２、ＡＦＣ手段１１４、第２中間周波数発振器１８１でＡＦＣループが形成されている。
【００４７】
図１の構成と異なるのは、遅延量変更可能な遅延検波周波数誤差検出手段１１４２を有しているところである。
【００４８】
以上のように構成されたデジタル復調システムについて、図４において、入力手段１１から、デジタル変調信号が入力される。入力されたデジタル変調信号は、ＡＧＣアッテネート手段１２によって、後段のデジタル復調システムに適した電力量に制御され、選局フィルタ手段１３によって、希望信号の選局周波数の信号以外の信号を除去する。ミキサ１５には、選局フィルタ手段１３からの信号と、選局周波数発振手段１４からの信号が入力され、希望信号は中間周波数信号にダウンコンバートされる。そのダウンコンバートされた希望信号は、ＳＡＷフィルタ手段１７によって波形整形され、検波手段１８に入力され、第２中間周波数発振器１８１によって、ベースバンド信号であるＩ，Ｑ信号に分割される。
【００４９】
それらのＩ，Ｑ信号は、ＡＤ変換手段１９により、アナログ信号からデジタル信号に変換され、波形整形フィルタ手段１１０により、受信帯域の制限と符号間干渉を抑制される。波形整形フィルタ手段１１０の出力のＩ，Ｑ信号はそれぞれ搬送波再生手段１１１、クロック再生手段１１２、ＡＧＣ手段１１３、周波数誤差検出手段１１４１に入力される。搬送波再生手段１１２では、Ｉ，Ｑ信号から搬送波を再生し、デジタル復調の同期を判定する同期判定手段１２５に入力され、デジタル復調システムの同期を判定する。そして、後段の誤り訂正部へと信号は入力されていく。
【００５０】
また、クロック再生手段１１２では、Ｉ，Ｑ信号を使って、システムの動作周波数を発振する発振器の制御値を算出し、ＤＡ変換手段１１５を介して、システムの動作周波数を発振する発振手段へ出力される。また、ＡＧＣ手段１１３では、ＤＡ変換手段１１６を介して、前段のＡＧＣアッテネート手段１２とループが組まれ、システム全体のゲイン調整を行なっている。そして、遅延検波周波数誤差検出手段１１４２では、Ｉ，Ｑ信号を使って、遅延検波により第２中間周波数発振器の発振周波数と選局周波数によってダウンコンバートされた希望信号の周波数との周波数誤差を検出し、その周波数誤差情報をＡＦＣ手段１１４に入力し、ＡＦＣ手段１１４では、周波数誤差の情報を平均化し、ＤＡ変換手段１１７を介して、第２中間周波数発振器１８１との間でループが組まれている。
【００５１】
可変遅延量付き遅延検波周波数誤差検出手段１１４２は、入力信号が伝送路によって歪み、第２中間周波数発振器の発振周波数と選局周波数によってダウンコンバートされた希望信号の周波数との周波数誤差がゼロでないポイントでＡＦＣループが安定し、同期判定手段１２５で非同期と判定された場合、同期判定手段１２５から遅延検波周波数誤差検出手段１１４２へ非同期状態であるという信号が出力され、可変遅延量付き遅延検波周波数誤差検出手段１１４２によって、遅延量の異なった別の遅延量をもつ遅延検波回路に設定することにより、第２中間周波数発振器の発振周波数と選局周波数によってダウンコンバートされた希望信号の周波数との周波数誤差がゼロのポイントでＡＦＣループを安定にする。これらのデジタル復調システム全体の動作は、デジタル復調システム制御手段１２０によって制御されている。
【００５２】
このように構成されたデジタル復調システムにおいて、ＡＦＣループが第２中間周波数発振器の発振周波数と選局周波数によってダウンコンバートされた希望信号の周波数との周波数誤差がゼロでないポイントでＡＦＣループが安定し、同期判定手段で非同期と判定された場合、入力信号に重畳された反射波の遅延量と無関係な大きさの遅延量をもつ遅延検波回路を選択することによってデジタル復調システムを同期に引き込むという作用効果を有する。
【００５３】
【発明の効果】
以上のように、本発明のデジタル復調システムによれば、入力信号が伝送路によって歪み、第２中間周波数発振器の発振周波数と選局周波数によってダウンコンバートされた希望信号の周波数との周波数誤差がゼロでないポイントでＡＦＣループが安定した場合に、ＡＦＣの制御値を強制的に変動させることによって、第２中間周波数発振器の発振周波数と選局周波数によってダウンコンバートされた希望信号の周波数との周波数誤差がゼロのポイントでＡＦＣループを安定にすることが可能なデジタル復調システムを提供することが可能となる。
【図面の簡単な説明】
【図１】本発明の一実施の形態による請求項２記載のデジタル復調システムのブロック図
【図２】本発明の一実施の形態による請求項３記載のデジタル復調システムのブロック図
【図３】本発明の一実施の形態による請求項４記載のデジタル復調システムのブロック図
【図４】本発明の一実施の形態による請求項５記載のデジタル復調システムのブロック図
【図５】従来のデジタル復調システムのブロック図
【符号の説明】
１１        入力手段
１２        ＡＧＣアッテネート手段
１３        選局フィルタ手段
１４        選局周波数発振手段
１５        ミキサ
１７      ＳＡＷフィルタ手段
１８        検波手段
１８１        第２中間周波数発振器
１９      ＡＤ変換手段
１１０        波形整形フィルタ手段
１１１        搬送波再生手段
１１２        クロック再生手段
１１３        ＡＧＣ手段
１１４        ＡＦＣ手段
１１４１    遅延検波周波数誤差検出手段
１１４２    可変遅延量付き遅延検波周波数誤差検出手段
１１５        ＤＡ変換手段
１１６        ＤＡ変換手段
１１７        ＤＡ変換手段
１２０        デジタル復調システム制御手段
１２５        同期判定手段
１３０        ＡＦＣ制御値変動手段
１４０      ＡＦＣ電圧値制御手段
１５０        選局周波数変動手段
【図１】
0003550960.tif 000002
【図２】
0003550960.tif 000003
【図３】
0003550960.tif 000004
【図４】
0003550960.tif 000005
【図５】
0003550960.tif 000006